(57)【要約】【課題】手指の保護を図りつつ、着脱が容易で指先のフィット感に優れた作業用手袋を提供する。【解決手段】本考案の作業用手袋Ａは、装着対象となる手の親指、人差指、および中指の３本の指をそれぞれ独立して挿入可能な指袋部１，２，３と、これら指袋部１，２，３にそれぞれつながり、掌側に相当する位置にある平面状のシート部４と、を備える。指袋部１，２，３は、それぞれ、基端側に指挿入用の開口１ｃ，２ｃ，３ｃを有するとともに当該開口１ｃ，２ｃ，３ｃから先端までの深さが挿入される各指の長さよりも小さくされている。シート部４は、指袋部１，２の間ならびに指袋部２，３の間の周縁部分４ａ，４ｂが、それぞれ親指および人差指の間の股部ならびに人差指および中指の間の股部よりも外側に位置するとともに、指袋部１から指袋部３にかけての周縁部分４ｃが、上記装着対象となる手の手首側に張り出すように湾曲させられている。【選択図】図２
0003138506.tif 000002
【実用新案登録請求の範囲】
【請求項１】
装着対象となる手の親指、人差指、および中指の３本の指をそれぞれ独立して挿入可能な第１ないし第３の指袋部と、
上記第１ないし第３の指袋部にそれぞれつながり、掌側に相当する位置にある平面状のシート部と、を備えた作業用手袋であって、
上記第１ないし第３の指袋部は、それぞれ、基端側に指挿入用の開口を有するとともに当該開口から先端までの深さが挿入される上記各指の長さよりも小さくされており、
上記シート部は、上記第１および第２の指袋部の間ならびに上記第２および第３の指袋部の間の周縁部分が、それぞれ親指および人差指の間の股部ならびに人差指および中指の間の股部よりも外側に位置するとともに、上記第１の指袋部から上記第３の指袋部にかけての周縁部分が、上記装着対象となる手の手首側に張り出すように湾曲させられていることを特徴とする、作業用手袋。
【請求項２】
上記第１ないし第３の指袋部は、それぞれ掌側および手の甲側に分離された第１ないし第３の掌側指部と第１ないし第３の甲側指部とが縫合された構成とされており、
上記第１ないし第３の甲側指部は、基端側の端縁によって上記開口が形成されている、請求項１に記載の作業用手袋。
【請求項３】
上記第１ないし第３の掌側指部および上記シート部は、連続する１つの裁断片によって構成されている、請求項２に記載の作業用手袋。
【請求項４】
上記第１および第２の甲側指部は、連続する１つの裁断片によって構成されており、この裁断片は、上記シート部における上記第１および第２の指袋部の間の周縁部分と縫合されている、請求項２に記載の作業用手袋。
【考案の詳細な説明】
【技術分野】
【０００１】
本考案は、作業用手袋に関し、特に手芸などの手作業を行うときに好適に用いられる作業用手袋に関する。
【背景技術】
【０００２】
従来、農作業や工場での軽作業などを行う際には、ゴム手袋や軍手などの作業用手袋が用いられてきた。これら作業用手袋は、一般に、手首よりも指先側の部分全体を覆うものであり、手の保護や汚れ防止という観点からは好ましいものである。
【０００３】
しかしながら、上記の作業用手袋は、装着時において指先が余るなどフィット感にかける場合が多く、たとえば手芸やワイヤークラフトなど指先の細かな動きが要求される手作業には適していない。医療用などの用途においては、薄手で伸縮性に富み、手指に密着してフィット感の高い手袋もあるものの、着脱が容易ではなく、また、手指の保護の観点からすれば十分とはいえない。一方、食事用の手袋としては、主に使用する親指、人差指、および中指の３本の指のみを挿入する指袋部を備えたものも開示されている（たとえば、特許文献１を参照）。しかしながら、特許文献１に示された手袋では、指の曲げ伸ばし動作にともなってズレやすく、フィット感に欠けるものとなっていた。
【０００４】
【特許文献１】実用新案登録第３１１７７６３号公報
【考案の開示】
【考案が解決しようとする課題】
【０００５】
本考案は、このような事情のもとで考え出されたものであって、手指の保護を図りつつ、着脱が容易で指先のフィット感に優れた作業用手袋を提供することを課題とする。
【課題を解決するための手段】
【０００６】
上記の課題を解決するため、本考案では、次の技術的手段を講じている。
【０００７】
本考案によって提供される作業用手袋は、装着対象となる手の親指、人差指、および中指の３本の指をそれぞれ独立して挿入可能な第１ないし第３の指袋部と、上記第１ないし第３の指袋部にそれぞれつながり、掌側に相当する位置にある平面状のシート部と、を備えた作業用手袋であって、上記第１ないし第３の指袋部は、それぞれ、基端側に指挿入用の開口を有するとともに当該開口から先端までの深さが挿入される上記各指の長さよりも小さくされており、上記シート部は、上記第１および第２の指袋部の間ならびに上記第２および第３の指袋部の間の周縁部分が、それぞれ親指および人差指の間の股部ならびに人差指および中指の間の股部よりも外側に位置するとともに、上記第１の指袋部から上記第３の指袋部にかけての周縁部分が、上記装着対象となる手の手首側に張り出すように湾曲させられていることを特徴としている。
【０００８】
このような構成の作業用手袋によれば、３本の指袋部については、掌側に位置する平面状のシート部につながっており、基端側に開口が形成されているため容易に装着することができる。また、３本の指袋部における挿入深さが各指の長さよりも小さくされているため、各指の先端を各指袋部の先端までスムーズに挿入することができ、指先のフィット感に優れたものとなる。加えて、かかる構成によれば、指の曲げ伸ばしによってもズレ難く、使い勝手がよい。一方、平面状のシート部については、掌側に相当する位置にある。また、指先側周縁部が指の股部よりも外側に位置するとともに、手首側に張り出しているため、掌の必要な部分を効果的に保護することができる。
【０００９】
好ましい実施の形態においては、上記第１ないし第３の指袋部は、それぞれ掌側および手の甲側に分離された第１ないし第３の掌側指部と第１ないし第３の甲側指部とが縫合された構成とされており、上記第１ないし第３の甲側指部は、基端側の端縁によって上記開口が形成されている。
【００１０】
好ましい実施の形態においては、上記第１ないし第３の掌側指部および上記シート部は、連続する１つの裁断片によって構成されている。
【００１１】
好ましい実施の形態においては、上記開口は、上記指の第２関節近傍または当該第２関節よりも指先側に相当する位置にある。
【００１２】
好ましい実施の形態においては、上記第１および第２の甲側指部は、連続する１つの裁断片によって構成されており、この裁断片は、上記シート部における上記第１および第２の指袋部の間の周縁部分と縫合されている。
【００１３】
本考案のその他の特徴および利点は、添付図面を参照して以下に行う詳細な説明によって、より明らかとなろう。
【考案を実施するための最良の形態】
【００１４】
以下、本考案の好ましい実施の形態について、図面を参照して具体的に説明する。
【００１５】
図１は、本考案に係る作業用手袋の一例を示す斜視図である。図２および図３は、図１の作業用手袋を手に装着した状態を示し、図２が掌側から見た図であり、図３が手の甲側から見た図である。本実施形態の作業用手袋Ａは、図１〜図３に示すように、親指、人差指、中指の３本の指をそれぞれ独立して挿入するための親指袋部１、人差指袋部２、中指袋部３と、これら指袋部１，２，３につながるシート部４とを備えて構成されており、手芸やワイヤークラフトなどの手作業を行う際に使用されるものである。なお、作業用手袋Ａは、右利き用であり、左手に装着して使用される。たとえばワイヤークラフトの場合、右手で工具を握り、作業用手袋Ａを装着した左手でワイヤーを掴む。
【００１６】
作業用手袋Ａは、所定の厚みを有する柔軟なシート状の材料によって形成されており、たとえば牛革などの皮革を適所で縫い合わせることにより形成されたものである。本実施形態においては、作業用手袋Ａは、それぞれが連続して一体とされた３つの裁断片１０，２０，３０を縫い合わせることによって構成されている。
【００１７】
シート部４は、図２によく表れているように、作業用手袋Ａの装着時において掌側に位置している。より具体的には、シート部４のうち、親指袋部１と人差指袋部２との間の周縁部分４ａは、親指および人差指の間の股部よりも外側に位置しており、人差指袋部２および中指袋部３間の周縁部分４ｂは、人差指および中指の間の股部よりも外側に位置している。また、親指袋部１から中指袋部３にかけての周縁部分４ｃは、手首側に張り出すように湾曲している。
【００１８】
親指袋部１、人差指袋部２、および中指袋部３は、それぞれ、分離された掌側の部分（掌側親指部１Ａ、掌側人差指部２Ａ、掌側中指部３Ａ）と手の甲側の部分（甲側親指部１Ｂ、甲側人差指部２Ｂ、甲側中指部３Ｂ）とが縫合された構成とされている。掌側親指部１Ａ、掌側人差指部２Ａ、掌側中指部３Ａは、シート部材４の適所に延設されており、これら掌側指部１Ａ，２Ａ，３Ａおよびシート部４は、裁断片１０を構成する部分である。甲側親指部１Ｂおよび甲側人差指部２Ｂは、これらの間に位置する中間部２０Ａを介して一体となっており、これら甲側指部１Ｂ，２Ｂおよび中間部２０Ａは、裁断片２０を構成する部分である。甲側中指部３Ｂは、裁断片３０を構成する部分である。
【００１９】
親指袋部１、人差指袋部２、および中指袋部３は、それぞれ、基端側に各指を挿入するための開口１ｃ，２ｃ，３ｃが形成されている。本実施形態においては、これら開口１ｃ，２ｃ，３ｃは、それぞれ甲側指部１Ｂ，２Ｂ，３Ｂの端縁によって形成されている。図２および図３に表れているように、指袋部１，２，３は、それぞれ、開口１ｃ，２ｃ，３ｃから先端までの深さが挿入される各指の長さよりも小さくされている。好ましくは、装着時において、開口１ｃ，２ｃ，３ｃは、各指の第２関節近傍または当該第２関節よりも指先側に位置している。
【００２０】
図４は、左手に装着された作業用手袋Ａの使用状態の一例を示す。この作業用手袋Ａの使用用途としては、パンチングアップリケ、フェルティング、麻糸のニッティングなどの手芸作業や、彫刻、アイロン作業、あるいはワイヤークラフトなどが挙げられる。図４においては、親指、人差指、および中指の３本の指を少し曲げて物を掴むような状態を表している。
【００２１】
本実施形態の作業用手袋Ａによれば、３本の指袋部１，２，３と、掌側に位置するシート部４とを備えている。このため、上記の作業においてよく使用する３本の指および掌を保護することができる。３本の指袋部１，２，３については、平面状のシート部４につながっており、基端側に開口１ｃ，２ｃ，３ｃが形成されているため容易に装着することができる。また、３本の指袋部１，２，３における挿入深さが、各指の長さよりも小さくされている。かかる構成により、各指の先端を各指袋部１，２，３の先端までスムーズに挿入することができ、指先のフィット感に優れたものとなる。
【００２２】
加えて、手の甲側においては、指袋部１，２，３を構成する甲側指部１Ｂ，２Ｂ，３Ｂによって３本の指先部分が覆われているだけである。このため、指の曲げ伸ばしをスムーズに行うことができ、また、指の曲げ伸ばしによっても作業用手袋Ａがズレ難く、使い勝手がよい。
【００２３】
一方、平面状のシート部４については、周縁部分４ａ，４ｂが指の間の股部よりも外側に位置するとともに、周縁部分４ｃが手首側に張り出しているため、掌の必要な部分を効果的に保護することができる。
【００２４】
また、図４によく表れているように、シート部４は、上記３本の指を曲げると、掌に密着せずに掌表面から隙間を介して浮いた状態となる。たとえば、左手の３本の指で保持した手芸品に対して右手で保持した針などを作用させる手作業においては、この浮いた状態のシート部４がクッションの効果を発揮し、掌部分をより効果的に保護することができる。このことは、シート部４が掌側にのみ設けられており、使用時にこのシート部４が指袋部１，２，３から垂れ下がるような姿勢となることによって実現される。
【００２５】
本実施形態の作業用手袋Ａにおいては、指袋部１，２，３は、それぞれ掌側および手の甲側に分離された掌側指部１Ａ，２Ａ，３Ａと、甲側指部１Ｂ，２Ｂ，３Ｂとが縫合されている。このような構成によれば、指袋部１，２，３は、立体的な膨らみを有する形態に維持されやすく、開口１ｃ，２ｃ，３ｃについては十分な開口面積が確保されやすい。したがって、各指袋部１，２，３に指を挿入しやすく、使い勝手がよい。
【００２６】
手作業時の動作にともなって、親指と人差指がなす角度は、特に大きく変化しうる。これに対し、本実施形態では、裁断片２０の中間部２０Ａが、親指袋部１および人差指袋部２の間の周縁部分４ａと縫合されている。したがって、親指と人差指の間が腰のある中間部２０Ａによって適切に保護される。
【００２７】
以上、本考案の具体的な実施形態を説明したが、本考案はこれに限定されるものではなく、考案の思想から逸脱しない範囲内で種々な変更が可能である。本考案に係る作業用手袋の各部の具体的な形状や材質なども、上記実施形態に限定されるものではない。
【図面の簡単な説明】
【００２８】
【図１】本考案に係る作業用手袋の一例を示す斜視図である。
【図２】本考案に係る作業用手袋を手に装着した状態を示し、掌側から見た図である。
【図３】本考案に係る作業用手袋を手に装着した状態を示し、手の甲側から見た図である。
【図４】本考案に係る作業用手袋の使用状態図である。
【符号の説明】
【００２９】
Ａ      作業用手袋
１      親指袋部（第１の指袋部）
２      人差指袋部（第２の指袋部）
３      中指袋部（第３の指袋部）
１Ａ    掌側親指部（第１の掌側指部）
２Ａ    掌側人差指部（第２の掌側指部）
３Ａ    掌側中指部（第３の掌側指部）
１Ｂ    甲側親指部（第１の甲側指部）
２Ｂ    甲側人差指部（第２の甲側指部）
３Ｂ    甲側中指部（第３の甲側指部）
１ｃ，２ｃ，３ｃ    開口
４      シート部
４ａ，４ｂ，４ｃ    周縁部分
１０，２０，３０    裁断片
【図１】
0003138506.tif 000003
【図２】
0003138506.tif 000004
【図３】
0003138506.tif 000005
【図４】
0003138506.tif 000006